(57)【要約】　　　（修正有）【課題】死亡者に対する通夜見舞い、香典料、初七日等、遺族が死者の知人、友人、親戚等から受け取った各種の金銭、物品等を記帳管理することにより、後日一目で分かるようにした香典帳を提供する。【解決手段】香典帳は、死者の氏名等記載シート３と、死者の写真シート４と、死者の家紋を表す家紋シート５と、死者のために出された香典料等に関する事項を記入する香典記入シート６と、死者に献花された花輪その他記入シート７と、お見舞い記入シート８と、死者の通夜に頂いた見舞い金等に関する事項を記入する通夜見舞記の初七日記入シート１０と、死者の三五日忌記入シート１１と、死者の初彼岸記入シート１２と、死者の一周忌記入シート１３と、死者の新盆記入シート１４と、死者の生前における入院見舞記入シートとからなり、各上記シートを着脱することができる一冊のファイルとした。【選択図】　図５
2004009556.tif 000002
【特許請求の範囲】
【請求項１】
死者の氏名、何歳で亡くなった等を記入する氏名等記載シートと、死者の上半身の顔写真を写した写真シートと、死者の家に先祖代々から伝わる家紋を表す家紋シートと、死者のために出された香典料等に関する事項を記入する香典記入シートと、死者に献花された花輪及びその他の供物等に関する事項を記入する花輪その他記入シートと、死亡後にお見舞いとして頂いた事項を記入するお見舞い記入シートと、死者の通夜に頂いた見舞い金等に関する事項を記入する通夜見舞記入シートと、死者の初七日に関係する事項を記入する初七日記入シートと、死者の三十五日忌に関する事項を記入する三五日忌記入シートと、死者の初彼岸に関係する事項を記入する初彼岸記入シートと、死者の一周忌に関係する事項を記入する一周忌記入シートと、死者の新盆に関係する事項を記入する新盆記入シートと、死者の入院、見舞い等に関係する事項を記入する入院見舞記入シートとからなり、各上記シートが着脱することができるとともに、一冊のファイルとしたことを特徴とする香典帳。
【発明の詳細な説明】
【０００１】
【発明が属する技術分野】
本発明は、死亡者に対する通夜見舞い、香典料、初七日等、遺族が死者の知人、友人、親戚等から受け取った各種の金銭、物品等を記帳管理することにより、後日一目で分かるようにした香典帳に関する発明である。
【０００２】
【従来の技術】
従来の「香典帳」は、図１から図４に示したように、人が死亡した時には、既製の「御香典帳」に香典料を受け取った内容、例えば、香典料を差し出された人の住所、氏名、金額等を後日の管理のために記帳している。
【０００３】
【発明が解決しようとする課題】
しかしながら、従来の香典帳では、通夜、葬式等が終わった後の死者に対する初七日、三十五日、初彼岸、一周忌等の法事の際に、死者の友人、学友、親戚等から受け取った金銭、供物等を記帳できるノートは別個に作成していたために、必要な時に各ノートを開いて確認しなければならず、一見して確認することができなかった。
【０００４】
そこで、本発明は、一目で葬儀や葬儀後の法事の参列者やその香典料の額・供物の種類等が容易に確認できるように整理するための香典帳を提供することを目的とするものである。
【０００５】
【課題を解決するための手段】
本発明である香典帳は、上記の課題を解決するために、死者の氏名、何歳で亡くなった等を記入する氏名等記載シートと、死者の上半身の顔写真を写した写真シートと、死者の家に先祖代々から伝わる家紋を表す家紋シートと、死者のために出された香典料等に関する事項を記入する香典記入シートと、死者に献花された花輪及びその他の供物等に関する事項を記入する花輪その他記入シートと、死亡後にお見舞いとして頂いた事項を記入するお見舞い記入シートと、死者の通夜に頂いた見舞い金等に関する事項を記入する通夜見舞記入シートと、死者の初七日に関係する事項を記入する初七日記入シートと、死者の三十五日忌に関する事項を記入する三五日忌記入シートと、死者の初彼岸に関係する事項を記入する初彼岸記入シートと、死者の一周忌に関係する事項を記入する一周忌記入シートと、死者の新盆に関係する事項を記入する新盆記入シートと、死者の入院、見舞い等に関係する事項を記入する入院見舞記入シートとからなり、各上記シートが着脱することができるとともに、一冊のファイルとしたことを特徴とする香典帳の構成とした。
【０００６】
【実施例】
以下に、添付図面に基づき、本発明である香典帳について詳細に説明する。図１から図４は、本発明である香典帳の受付台帳である従来の御香奠帳を示した図である。また、図５から図１８までは、本発明である香典帳を示した図である。図１から図４に示した御香奠帳１に記帳されている内容が、図５に示す本発明である香典帳の香典記入シートに書き写されるのである。
【０００７】
図１は本発明である香典帳の受付台帳である従来の御香奠帳の表紙、図２は第２ページ（表紙裏）の葬祭礼法を記載したページ、図３は葬祭記録を記載するページ、図４は第４ページの参列者を記入するページを示す図である。
【０００８】
本発明である香典帳２の受付台帳となる従来の御香奠帳１は、図１に示すように、縦長の長方形の用紙上部に２個所の紐通し孔１ｂを設け、前記紐通し孔１ｂに通した綴じ紐１ａにより１冊に綴じられている。
【０００９】
図１に示すように、本発明である香典帳２の受付台帳である従来の御香奠帳１の表紙１ｃは、中央部に「御香奠帳」の文字が大書きされ、用紙左端部には故人の俗名及び享年の歳が書かれ、御香奠帳１の右端部には故人の死亡年月日が書かれている。
【００１０】
また、図２に示すように、本発明である香典帳２の受付台帳である従来の御香奠帳１の表紙裏１ｄには、葬祭礼法が記載されている。葬祭礼法には、死亡年月日、お通夜、湯灌、法（戒）名、納棺、初七日等の説明が書かれている。
【００１１】
図３に示すように、本発明である香典帳の受付台帳である従来の御香奠帳１の第３ページは、葬祭記録記入欄１ｅとなっている。本ページは、法名、俗名、行年、死亡年月日、葬式年月日及び法事等の年月日を記入するページである。
【００１２】
図４に示すように、本発明である香典帳２の受付台帳である従来の御香奠帳１の葬祭記録記入欄１ｅの次ページは、参列者記入欄１ｆである。前記参列者記入欄１ｆには、葬儀等の参列者の住所、氏名及のご香典料の金額を記入する。
【００１３】
図５は、本発明である香典帳の全体構造を示す斜視図である。本発明である香典帳２は、第１ページ３、第２ページ４、第３ページ５、「香典」「お見舞い」「初七日」等の葬儀及び法事等の必要に応じた葬祭関連行事の記入シート６〜１５を順番に重ねてファイル２ａに綴じ込んだ構造のノートである。
【００１４】
図６は、本発明である香典帳の第１ページであり、死者の氏名等を記入する氏名等記入シートを示す図である。第１ページ３は表紙ページであり、中央部に縦書きで「香典帳」の文字が書かれ、右端部に縦書きで故人の氏名３ａ、故人の生年月日３ｂ等が記載されている。
【００１５】
図７は、本発明である香典帳を構成する写真シートを示した図である。図７に示すように、本発明である香典帳の第２ページ４は写真シートであり、故人の写真を中央部に大きく載せたシートである。
【００１６】
図８は、本発明である香典帳の第４ページの死者の家の家紋を表す家紋シートを示す図である。図８に示すように、家紋シート５には、中央部に大きく家紋５ａが薄目の色で描かれ、前記家紋５ａの上に家紋５ａよりも濃い色で戒名５ｃが記載され、右端部には死亡年月日及び享年５ｂが記載されている。
【００１７】
図９から図１８は、本発明である香典帳に綴り込む葬儀及び法事等の各葬祭関連行事の記入シートを示す図である。即ち、香典記入シート６から入院見舞い記入シート１５までを示した図である。
【００１８】
図９は、本発明である香典帳の香典記入シートの正面図である。図９に示すように、香典記入シート６の第１ページには、右端上部に「香典」と記した分類ラベル６ａが設けられ、シート上部には葬儀日時６ｃを記入する。分類ラベル６ａの下部の「昇順」と書かれた昇順ラベル６ｂは、区分欄のあいうえお順「あ→わ」で順番に記入されているとの意味である。
【００１９】
香典記入シート６の記入欄は、区分欄６ｄ、氏名欄６ｅ、金額欄６ｆ、住所又は職場名等欄６ｇ、ページ欄６ｈ、備考欄６ｉからなる。前記区分欄６ｄとは、氏名の上２文字で区分し、これをあいうえお順に並べたものである。
【００２０】
例えば、氏名が「会田○○」の場合には名字の上２文字から「あい」に区分され、氏名が「青木○○」なら「あお」に区分される。また、氏名欄６ｅには氏名、金額欄６ｆには香典の金額、住所又は職場名等欄６ｇには住所若しくは職場名をそれぞれ記入する。ページ欄６ｈには、受付台帳である御香奠帳１の参列者記入欄１ｆのうち、○冊目の○ページに記入されていたことを示す欄であり、確認したい時に便利である。例えば、受付台帳３冊目の１３ページに記入された参列者であれば「３−１３」と記入する。
【００２１】
これらは、受付台帳である御香奠帳１の参列者記入欄１ｆに記入された参列者を「あいうえお」順に区分し、各事項を記入する。
【００２２】
また、香典記入シート６の記入欄の最下部には、各ページに記載された人数６ｊ、各ページの香典の小計６ｋを記入し、香典記入シート６の最終ページには、香典の合計金額を記入する。
【００２３】
図１０は、本発明である香典帳の花輪その他記入シートを示す図である。花輪その他記入シート７の第１ページには、右端部に「花輪その他」と記した分類ラベル７ａが設けられ、シート上部には「内飾り・花輪その他供物類」と記載されている。花輪その他記入シート７の記入欄は、区分欄７ｂ、氏名欄７ｃ、住所又は職場名等欄７ｄ及び供物名欄７ｅである。
【００２４】
前記区分欄７ｂの区分とは、香典記入シート６と同様に氏名の上２文字で区分し、あいうえお順に並べたものである。また、氏名欄７ｃには氏名、住所又は職場名等欄６ｄには住所若しくは職場名、供物名欄７ｅには供物（花輪、内飾り等）をそれぞれ記入する。
【００２５】
図１１は、本発明である香典帳のお見舞い記入シートを示す図である。お見舞い記入シート８の第１ページには、右端部に「お見舞」と記した分類ラベル８ａが設けられ、シート上部には「お見舞い」と記載されている。
ここでいうお見舞いとは、死亡後に頂いたお見舞いである。
【００２６】
お見舞い記入シート８の記入欄は、区分欄８ｂ、氏名欄８ｃ、住所又は職場名等欄８ｄ、金額欄８ｅ、品物欄８ｆ、備考欄８ｇである。区分欄８ｂは、香典記入シート６と同様に氏名の上２文字で区分し、あいうえお順に並べたものである。
【００２７】
氏名欄８ｃには氏名、住所又は職場名等欄８ｄには住所若しくは職場名、金額欄８ｅにはお見舞い金の金額、品物欄８ｆにはお見舞いに頂いた品物をそれぞれ記入する。
【００２８】
また、記入欄下部には各ページのお見舞いの小計８ｈを記入し、お見舞い記入シート最終ページにはお見舞い金の合計８ｉを記入する。
【００２９】
図１２は、本発明である香典帳の通夜見舞記入シート９を示す図である。通夜見舞記入シート９の第１ページには、右端部には「通夜見舞」と記された分類ラベル９ａが設けられており、シート上部には通夜日時９ｂを記載する。
【００３０】
通夜見舞記入シート９の記入欄は、区分欄９ｃ、氏名欄９ｄ、住所又は職場名等欄９ｅ、金額欄９ｆ、備考欄９ｇである。記入欄下部には、小計欄９ｈ及び合計欄９ｉが設けられている。
【００３１】
前記区分欄９ｃの区分とは、香典記入シート６と同様に氏名の上２文字で区分し、あいうえお順に並べたものであり、氏名欄９ｄには氏名、住所又は職場名等欄９ｅには住所若しくは職場名、金額欄９ｆには金額をそれぞれ記入する。
【００３２】
また、小計欄９ｈには各ページに記入した金額の小計を記入し、通夜見舞記入シート最終ページには、合計欄９ｉに各ページに記入した小計の合計金額を記入する。
【００３３】
図１３は、本発明である香典帳の初七日記入シートを示す図である。初七日記入シート１０は、右端部に「初七日」と記した分類ラベル１０ａが設けられ、シート上部には初七日日時１０ｂを記載する。
【００３４】
初七日記入シートの記入欄は、区分欄１０ｃ、氏名欄１０ｄ、住所又は職場名等欄１０ｅ、金額欄１０ｆ、品物欄１０ｇである。記入欄の下部には、各ページの小計を記入する小計欄１０ｈ、最終ページには各ページの小計の合計金額を記入する合計欄１０ｉが設けられている。
【００３５】
図１４は、本発明である香典帳の三五日忌記入シートを示す図である。図１４に示すように、三五日忌記入シート１１は、右端部に「三五日忌」と記した分類ラベル１１ａを設け、シート上部には三五日忌日時及び会場１１ｂを記載する。
【００３６】
三五日忌記入シートの記入欄は、区分欄１１ｃ、氏名欄１１ｄ、住所又は職場名等欄１１ｅ、金額欄１１ｆ、品物欄１１ｇ、備考欄１１ｈである。記入欄の下部には、各ページの小計を記入する小計欄１１ｉ、各ページの小計の合計を記入する合計欄１１ｊが設けられている。
【００３７】
図１５は、本発明である香典帳の初彼岸記入シートである。図１５に示すように、初彼岸記入シート１２の右端部には「初彼岸」と記した分類ラベル１２ａが設けられている。
【００３８】
初彼岸記入シート１２の記入欄は、区分欄１２ｂ、氏名欄１２ｃ、金額欄１２ｄ、品物欄１２ｅ、備考欄１２ｆ及び記入欄下部の小計欄１２ｇ、合計欄１２ｈである。
【００３９】
図１６は、本発明である香典帳の一周忌記入シートである。図１６に示すように、一周忌記入シート１３の右端下部には「一周忌」と記した分類ラベル１３ａが設けられており、シート上部には一周忌日時及び会場１３ｂが記入されている。
【００４０】
一周忌記入シート１３の記入欄は、区分欄１３ｃ、氏名欄１３ｄ、金額欄１３ｅ、品物欄１３ｆ、備考欄１３ｇ及び記入欄下部の小計欄１３ｈ、合計欄１３ｉである。
【００４１】
図１７は、本発明である香典帳の新盆記入シートである。図１７に示すように、新盆記入シート１４の右端上部には「新盆」と記した分類ラベル１４ａが設けられ、シート上部には、新盆の年月日１４ｂを記載する。
【００４２】
新盆記入シート１４の記入欄は、区分欄１４ｃ、氏名欄１４ｄ、金額欄１４ｅ、住所又は職場名等欄１４ｆ、品物・供物欄１４ｇ、ページ欄１４ｈである。
また、記入欄下部の小計欄１４ｉには各ページの金額の小計を記入し、新盆記入シートの最終ページの合計欄１４ｊには、各ページの小計の合計金額を記入する。
【００４３】
図１８は、本発明である香典帳の入院見舞記入シートである。図１８に示すように、入院見舞記入シート１５の右端部には「入院見舞」と記した分類ラベル１５ａが設けられている。
【００４４】
入院見舞記入シート１５の記入欄は、年月日欄１５ｂ、氏名欄１５ｃ、住所又は職場名等欄１５ｄ、金額欄１５ｅ、品物欄１５ｆ、備考欄１５ｇである。年月日欄１５ｂには、入院見舞いの年月日を記入する。
【００４５】
記入欄の下部の小計欄１５ｈには、各ページの金額の小計を記入し、入院見舞記入シート最終ページの合計欄１５ｉには、各ページの小計の合計金額を記入する。
【００４６】
また、この他にも地方により、四十九日、百ヶ日、三年忌、七年忌などの法要が行われる場合には、その都度同様のシートを使用して必要事項を記入し、ファイルに追加することができる。
【００４７】
【発明の効果】
本発明は、以上に説明したような構成であるから、以下の効果が得られる。
第１に、葬儀の参列者名が一目でわかり、なおかつアイウエオ順に整理されているので、香典料の提出人、香典料の額や供物の種類等を一見して容易に確認することができる。
【００４８】
第２に、本発明である香典帳を用いることにより、葬儀のみでなくその後の法事等にも利用でき、それもともに整理することができるとともに、死者に関する法事等の管理が簡単容易にすることができる。
【図面の簡単な説明】
【図１】本発明である香典帳の受付台帳である従来の御香典帳の表紙を示す図である。
【図２】本発明である香典帳の受付台帳である従来の御香奠帳の葬祭礼法のページである。
【図３】本発明である香典帳の受付台帳である従来の御香奠帳の葬祭記録のページである。
【図４】本発明である香典帳の受付台帳である従来の御香奠帳の参列者記入ページである。
【図５】本発明である香典帳の全体の構造を示す斜視図である。
【図６】本発明である香典帳を構成する氏名等記入シートの正面図である。
【図７】本発明である香典帳を構成する写真シートの正面図である。
【図８】本発明である香典帳の家紋シートの正面図である。
【図９】本発明である香典帳の香典及び昇順記入シートの正面図である。
【図１０】本発明である香典帳の花輪その他記入シートの正面図である。
【図１１】本発明である香典帳のお見舞い記入シートの正面図である。
【図１２】本発明である香典帳の通夜見舞記入シートの正面図である。
【図１３】本発明である香典帳の初七日記入シートの正面図である。
【図１４】本発明である香典帳の三五日忌記入シートの正面図である。
【図１５】本発明である香典帳の初彼岸記入シートの正面図である。
【図１６】本発明である香典帳の一周忌記入シートの正面図である。
【図１７】本発明である香典帳の新盆記入シートの正面図である。
【図１８】本発明である香典帳の入院見舞記入シートの正面図である。
【符合の説明】
１　　　　御香奠帳
１ａ　　　綴じ紐
１ｂ　　　紐通し孔
１ｃ　　　表紙
１ｄ　　　表紙裏
１ｅ　　　葬祭記録記入欄
１ｆ　　　参列者記入欄
２　　　　香典帳
２ａ　　　ファイル
３　　　　氏名等記載シート
３ａ　　　氏名
３ｂ　　　年月日
４　　　　写真シート
４ａ　　　故人の写真
５　　　　家紋シート
５ａ　　　家紋
５ｂ　　　死亡年月日
５ｃ　　　戒名
６　　　　香典記入シート
６ａ　　　分類ラベル
６ｂ　　　昇順ラベル
６ｃ　　　葬儀日時
６ｄ　　　区分欄
６ｅ　　　氏名欄
６ｆ　　　金額欄
６ｇ　　　住所又は職場名等欄
６ｈ　　　ページ欄
６ｉ　　　備考欄
６ｊ　　　人数
６ｋ　　　小計
７　　　　花輪その他記入シート
７ａ　　　分類ラベル
７ｂ　　　区分欄
７ｃ　　　氏名欄
７ｄ　　　住所又は職場名等欄
７ｅ　　　供物名欄
８　　　　お見舞い記入シート
８ａ　　　分類ラベル
８ｂ　　　区分欄
８ｃ　　　氏名欄
８ｄ　　　住所又は職場名等欄
８ｅ　　　金額欄
８ｆ　　　品物欄
８ｇ　　　備考欄
８ｈ　　　小計欄
８ｉ　　　合計欄
９　　　　通夜見舞記入シート
９ａ　　　分類ラベル
９ｂ　　　通夜日時
９ｃ　　　区分欄
９ｄ　　　氏名欄
９ｅ　　　住所又は職場名等欄
９ｆ　　　金額欄
９ｇ　　　備考欄
９ｈ　　　小計欄
９ｉ　　　合計欄
１０　　　　初七日記入シート
１０ａ　　　分類ラベル
１０ｂ　　　初七日日時
１０ｃ　　　区分欄
１０ｄ　　　氏名欄
１０ｅ　　　住所又は職場名等欄
１０ｆ　　　金額欄
１０ｇ　　　品物欄
１０ｈ　　　小計欄
１０ｉ　　　合計欄
１１　　　　三五日忌記入シート
１１ａ　　　分類ラベル
１１ｂ　　　三五日忌日時
１１ｃ　　　区分欄
１１ｄ　　　氏名欄
１１ｅ　　　住所又は職場名等欄
１１ｆ　　　金額欄
１１ｇ　　　品物欄
１１ｈ　　　備考欄
１１ｉ　　　小計欄
１１ｊ　　　合計欄
１２　　　　初彼岸記入シート
１２ａ　　　分類ラベル
１２ｂ　　　区分欄
１２ｃ　　　氏名欄
１２ｄ　　　金額欄
１２ｅ　　　品物欄
１２ｆ　　　備考欄
１２ｇ　　　小計欄
１２ｈ　　　合計欄
１３　　　　一周忌記入シート
１３ａ　　　分類ラベル
１３ｂ　　　一周忌日時
１３ｃ　　　区分欄
１３ｄ　　　氏名欄
１３ｅ　　　金額欄
１３ｆ　　　品物欄
１３ｇ　　　備考欄
１３ｈ　　　小計欄
１３ｉ　　　合計欄
１４　　　　新盆記入シート
１４ａ　　　分類ラベル
１４ｂ　　　年月日
１４ｃ　　　区分欄
１４ｄ　　　氏名欄
１４ｅ　　　金額欄
１４ｆ　　　住所又は職場名等欄
１４ｇ　　　品物、供物欄
１４ｈ　　　ページ欄
１４ｉ　　　小計欄
１４ｊ　　　合計欄
１５　　　　入院見舞記入シート
１５ａ　　　分類ラベル
１５ｂ　　　年月日欄
１５ｃ　　　氏名欄
１５ｄ　　　住所又は職場名等欄
１５ｅ　　　金額欄
１５ｆ　　　品物欄
１５ｇ　　　備考欄
１５ｈ　　　小計欄
１５ｉ　　　合計欄
【図１】
2004009556.tif 000003
【図２】
2004009556.tif 000004
【図３】
2004009556.tif 000005
【図４】
2004009556.tif 000006
【図５】
2004009556.tif 000007
【図６】
2004009556.tif 000008
【図７】
2004009556.tif 000009
【図８】
2004009556.tif 000010
【図９】
2004009556.tif 000011
【図１０】
2004009556.tif 000012
【図１１】
2004009556.tif 000013
【図１２】
2004009556.tif 000014
【図１３】
2004009556.tif 000015
【図１４】
2004009556.tif 000016
【図１５】
2004009556.tif 000017
【図１６】
2004009556.tif 000018
【図１７】
2004009556.tif 000019
【図１８】
2004009556.tif 000020